(57)【特許請求の範囲】
【請求項１】
ＰＯＮ方式の光ネットワークにおいて、１つまたは複数の光回線終端装置（ＯＮＵ）と送受信を行う光ネットワークの光端局装置（ＯＬＴ）であって、
帯域割当周期におけるＯＮＵごとの送信許可を生成することで前記ＯＮＵごとの上りスケジューリングを行うＯＮＵ送信許可算出部
を備え、
前記ＯＮＵ送信許可算出部は、送信フレーム構成を含む既知である外部ネットワークの構成情報と、前記ＰＯＮ方式による通信中における各ＯＮＵの接続状況および各ＯＮＵの往復遅延時間と、前記外部ネットワークより取得した上りスケジューリング情報と、時刻源から取得した時刻情報と同期したＯＬＴ内部時刻とに基づき、前記ＯＮＵに接続されたそれぞれの通信子局がフレーム送信を行う際の送信開始時刻および送信許可量に関する情報を含んで構成される前記送信許可を生成する
光ネットワークの光端局装置。
【請求項２】
ＰＯＮ標準勧告で規定されたＯＮＵ多元接続プロトコル処理を行うＭＰＣＰ部と、
前記時刻情報を前記時刻源から取得し、前記時刻情報と同期した前記ＯＬＴ内部時刻に変換する時刻変換部と、
前記外部ネットワークより受信した下りデータに含まれている、前記外部ネットワークの上りスケジューリング情報を抽出する識別部と
をさらに備え、
前記ＯＮＵ送信許可算出部は、前記接続状況および前記往復遅延時間を前記ＭＰＣＰ部から取得し、前記ＯＬＴ内部時刻を前記時刻変換部から取得し、前記上りスケジューリング情報を前記識別部から取得し、前記送信許可を生成する
請求項１に記載の光ネットワークの光端局装置。
【請求項３】
ＰＯＮ標準勧告で規定されたＯＮＵ多元接続プロトコル処理を行うＭＰＣＰ部と、
前記時刻情報を時刻源から取得し、前記時刻情報と同期した前記ＯＬＴ内部時刻に変換する時刻変換部と、
前記外部ネットワークの上りスケジューリング情報を、前記外部ネットワークより受信する受信部と
をさらに備え、
前記ＯＮＵ送信許可算出部は、前記接続状況および前記往復遅延時間を前記ＭＰＣＰ部から取得し、前記ＯＬＴ内部時刻を前記時刻変換部から取得し、前記上りスケジューリング情報を前記受信部から取得し、前記送信許可を生成する
請求項１に記載の光ネットワークの光端局装置。
【請求項４】
前記外部ネットワークの構成情報には、前記外部ネットワークの子局装置が端末からデータを受信してから前記ＯＮＵへ送信するまでの処理時間と、前記ＯＮＵへの送信データ量と、前記送信フレーム構成とが含まれており、
前記ＯＮＵ送信許可算出部は、前記外部ネットワークの構成情報に応じて、前記送信許可の生成方式を変更する
請求項１から３のいずれか１項に記載の光ネットワークの光端局装置。
【請求項５】
ＰＯＮ方式の光ネットワークにおいて、１つまたは複数の光回線終端装置（ＯＮＵ）と送受信を行う光ネットワークの光端局装置（ＯＬＴ）において、帯域割当周期におけるＯＮＵごとの送信許可を生成することで前記ＯＮＵごとの上りスケジューリングを行う光ネットワークの上りスケジューリング方法であって、
送信フレーム構成を含む外部ネットワークの構成情報を既知の情報として記憶部に記憶させておくステップと、
前記ＰＯＮ方式による通信中における各ＯＮＵの接続状況および各ＯＮＵの往復遅延時間を算出するステップと、
前記外部ネットワークより上りスケジューリング情報を取得するステップと、
外部の時刻源から取得した時刻情報と同期したＯＬＴ内部時刻を算出するステップと、
前記外部ネットワークの構成情報と、前接続状況および前記往復遅延時間と、前記上りスケジューリング情報と、前記ＯＬＴ内部時刻とに基づき、前記ＯＮＵに接続されたそれぞれの通信子局がフレーム送信を行う際の送信開始時刻および送信許可量に関する情報を含んで構成される前記送信許可を生成するステップと
を有する光ネットワークの上りスケジューリング方法。
【発明の詳細な説明】
【技術分野】
【０００１】
本発明は、スプリッタを用いて光信号を複数に分岐して、一芯の光ファイバを複数ユーザで共有するＰＯＮ（Ｐａｓｓｉｖｅ  Ｏｐｔｉｃａｌ  Ｎｅｔｗｏｒｋ）方式の光ネットワークにおいて、１つまたは複数の光回線終端装置（ＯＮＵ：Ｏｐｔｉｃａｌ  Ｎｅｔｗｏｒｋ  Ｕｎｉｔ）と送受信を行う光ネットワークの光端局装置（ＯＬＴ：Ｏｐｔｉｃａｌ  Ｌｉｎｅ  Ｔｅｒｍｉｎａｌ）に関するものであり、特に、上りスケジューリング方法に関する。
【背景技術】
【０００２】
近年、ＰＯＮシステムは、家庭向けサービスだけではなく、モバイルアンテナとモバイル基地局間の無線アクセスネットワーク（ＲＡＮ：Ｒａｄｉｏ  Ａｃｃｅｓｓ  Ｎｅｔｗｏｒｋ）への適用が検討されている。一般的に、家庭向けサービスには、高スループットと公平性が重要視される。従って、ＲＡＮには、リアルタイム性、すなわち、低遅延性が重要視される。【０００３】
低遅延性について、ＩＥＥＥ規格のＥＰＯＮや１０Ｇ−ＥＰＯＮ、ＩＴＵ−Ｔ規格のＧ−ＰＯＮやＸＧ−ＰＯＮのようなＴＤＭ（Ｔｉｍｅ  Ｄｉｖｉｓｉｏｎ  Ｍｕｌｔｉｐｌｅｘｉｎｇ）技術を用いたＰＯＮシステムにおいては、特に、上り方向の遅延の低減が課題とされる。【０００４】
例えば、モバイル基地局の親局と子局とを接続するモバイルフロントホール（Ｍｏｂｉｌｅ  Ｆｒｏｎｔｈａｕｌ）に関する従来技術がある（例えば、非特許文献１）。この非特許文献１のＴａｂｌｅ  Ａ−１に示された片方向遅延時間（光ファイバ伝送遅延を含む）は、最小２５０マイクロ秒であり、モバイルフロントホールにＰＯＮシステムを適用する場合には、上り遅延時間が課題となる。【０００５】
そこで、上り遅延時間の低減を目的としたＰＯＮ上りスケジューリング方式に関する従来技術がある（例えば、特許文献１参照）。この特許文献１による方式では、ＯＬＴと接続される外部ネットワーク装置である上位装置が、あらかじめユーザ装置の上りスケジューリング情報をＯＬＴに送信する。【０００６】
それに対して、ＯＬＴは、収容装置からの上りスケジューリング情報に基づき、ＯＮＵの送信許可量と送信開始時刻を決定する。これにより、ＯＮＵと接続される外部ネットワーク装置であり、ユーザ装置と接続される下位装置からのデータを、ＯＮＵにおいてバッファリングする時間を短縮させ、上り遅延時間を抑えることを可能としている。
【先行技術文献】
【特許文献】
【０００７】
【特許文献１】特開２０１７−４６３２７号公報
【非特許文献】
【０００８】
【非特許文献１】3GPP TR 38.801 V2.0.0 (2017-3)
【非特許文献２】082.07.03 nFAPI and FAPI specification (2016-6)
【非特許文献３】3GPP TS 36.213 V12.11.0 (2016-09)
【発明の概要】
【発明が解決しようとする課題】
【０００９】
しかしながら、従来技術には、以下のような課題がある。
ＰＯＮシステムにおいて、上り遅延時間を最小化するためには、実際にＯＮＵが下位装置からデータを受信する時刻を知るべきである。しかしながら、特許文献１の従来技術においては、収容装置からＯＬＴが取得した上りスケジューリング情報から得られる送信開始時刻は、下位装置がユーザ装置からデータを受信する時刻である。従って、ＯＮＵのイーサネット（登録商標）フレームの受信時刻とは差が生じるという課題があった。なお、以下の説明では、イーサネットフレームを、単にフレームと称して説明する。【００１０】
また、下位装置がＯＮＵに送信するフレームには、複数のユーザ装置の送信データを格納できる（例えば、非特許文献２の４．２．５  Ｕｐｌｉｎｋ  ｄａｔａ参照）。このことから、上りスケジューリング情報の送信開始時刻だけでは、ＯＮＵのフレーム長と受信時刻を正確に求めることができないという課題があった。【００１１】
本発明は、前記のような課題を解決するためになされたものであり、ＯＮＵのフレーム長と受信時刻をより正確に求め、上り遅延時間の最小化を図ることのできる光ネットワークの光端局装置および光ネットワークの上りスケジューリング方法を得ることを目的とする。
【課題を解決するための手段】
【００１２】
本発明に係る光ネットワークの光端局装置は、ＰＯＮ方式の光ネットワークにおいて、１つまたは複数の光回線終端装置（ＯＮＵ）と送受信を行う光ネットワークの光端局装置（ＯＬＴ）であって、帯域割当周期におけるＯＮＵごとの送信許可を生成することでＯＮＵごとの上りスケジューリングを行うＯＮＵ送信許可算出部を備え、ＯＮＵ送信許可算出部は、送信フレーム構成を含む既知である外部ネットワークの構成情報と、ＰＯＮ方式による通信中における各ＯＮＵの接続状況および各ＯＮＵの往復遅延時間と、外部ネットワークより取得した上りスケジューリング情報と、時刻源から取得した時刻情報と同期したＯＬＴ内部時刻と、に基づき、ＯＮＵに接続されたそれぞれの通信子局がフレーム送信を行う際の送信開始時刻および送信許可量に関する情報を含んで構成される送信許可を生成するものである。
【００１３】
また、本発明に係る光ネットワークの上りスケジューリング方法は、ＰＯＮ方式の光ネットワークにおいて、１つまたは複数の光回線終端装置（ＯＮＵ）と送受信を行う光ネットワークの光端局装置（ＯＬＴ）において、帯域割当周期におけるＯＮＵごとの送信許可を生成することでＯＮＵごとの上りスケジューリングを行う光ネットワークの上りスケジューリング方法であって、送信フレーム構成を含む外部ネットワークの構成情報を既知の情報として記憶部に記憶させておくステップと、ＰＯＮ方式による通信中における各ＯＮＵの接続状況および各ＯＮＵの往復遅延時間を算出するステップと、外部ネットワークより上りスケジューリング情報を取得するステップと、外部の時刻源から取得した時刻情報と同期したＯＬＴ内部時刻を算出するステップと、外部ネットワークの構成情報と、前接続状況および往復遅延時間と、上りスケジューリング情報と、ＯＬＴ内部時刻とに基づき、ＯＮＵに接続されたそれぞれの通信子局がフレーム送信を行う際の送信開始時刻および送信許可量に関する情報を含んで構成される送信許可を生成するステップと、を有するものである。
【発明の効果】
【００１４】
本発明によれば、実際にＯＮＵが下位装置からデータを受信する時刻をＯＬＴ側で知ることによって、ＯＮＵに接続されたそれぞれの通信子局がフレーム送信を行う際の送信開始時刻および送信許可量をＯＬＴ側で決定できる構成を備えている。この結果、ＯＮＵのフレーム長と受信時刻をより正確に求め、上り遅延時間の最小化を図ることのできる光ネットワークの光端局装置および光ネットワークの上りスケジューリング方法を得ることができる。
【図面の簡単な説明】
【００１５】
【図１】本発明の実施の形態１におけるＯＬＴを含んで構成される通信システムの一例を示した全体構成図である。
【図２】本発明の実施の形態１によるＯＬＴの一例を示した機能ブロック図である。
【図３】本発明の実施の形態１による端末から通信親局への上りデータ通信シーケンスの一例を示した図である。
【図４】本発明の実施の形態１におけるＯＮＵ送信許可算出部で実行される一連処理の一例を示したフローチャートである。
【図５】本発明の実施の形態１におけるＧＡＴＥフレームのフォーマットを示した図である。
【図６】本発明の実施の形態１による端末、通信子局、ＯＮＵ、ＯＬＴの動作タイミングチャートの一例を示した図である。
【図７】本発明の実施の形態１による端末、通信子局、ＯＮＵ、ＯＬＴの動作タイミングチャートの別の例を示した図である。
【図８】本発明の実施の形態１によるＯＬＴを実現するハードウェア構成例を示した図である。
【図９】本発明の実施の形態１によるＯＬＴを実現する別のハードウェア構成例を示した図である。
【図１０】本発明の実施の形態２によるＯＬＴの一例を示した機能ブロック図である。
【発明を実施するための形態】
【００１６】
以下に、本発明に係る光ネットワークの光端局装置および光ネットワークの上りスケジューリング方法に関する実施の形態を、図面に基づいて詳細に説明する。なお、本発明は、以下の記述に限定されるものではなく、本発明の要旨を逸脱しない範囲において適宜変更可能である。
【００１７】
実施の形態１．
図１は、本発明の実施の形態１におけるＯＬＴ１０を含んで構成される通信システムの一例を示した全体構成図である。また、図２は、本発明の実施の形態１によるＯＬＴ１０の一例を示した機能ブロック図である。また、図３は、本発明の実施の形態１による端末から通信親局への上りデータ通信シーケンスの一例を示した図である。以下、図１〜図３を用いて、本実施の形態１に係る通信システムの動作について、具体的に説明する。
【００１８】
図１において、白抜きされている各ブロックは、ＰＯＮネットワーク装置に相当し、グレーで塗りつぶされた各ブロックは、外部ネットワーク装置に相当している。また、実線の矢印は、上りデータを意味し、破線の矢印は、上りスケジューリング情報を意味している。ただし、時刻源から出力されている実線の矢印は、時刻情報を意味している。
【００１９】
図１に示すように、外部ネットワーク装置である通信親局＃１および通信親局＃２と、通信子局＃１および通信子局＃２とは、それぞれＰＯＮシステムにより接続されている。また、通信子局＃１は、アンテナを介して端末＃１および端末＃２と送受信可能であり、通信子局＃２は、アンテナを介して端末＃３および端末＃４と送受信可能となっている。
【００２０】
図１の構成においては、通信親局、ＯＬＴ１０、および時刻源を含む局舎１００と、ＯＮＵおよび通信子局を含むアンテナサイト２００とは、それぞれ近傍に置かれる想定であり、想定伝送遅延時間も無視できるものとする。ただし、ＯＬＴ１０とＯＮＵの伝送遅延時間、および通信子局と端末の伝送遅延時間は、無視できないものとする。なお、図１では、アンテナサイト２００として２つのアンテナサイトが例示されている。
【００２１】
図１において、通信子局と通信端末との間の上りリンクに対し、通信端末毎のスケジューリング処理を行う装置は、通信親局である。そして、通信親局が生成した上りスケジューリング情報は、ＯＬＴ１０、ＯＮＵ、通信子局、アンテナを介して、端末に通知される。
【００２２】
通信親局＃１が上りスケジューリングを行って、端末＃１および端末＃２からの上りデータを受信するシーケンスについて、図２および図３を用いて説明する。図２の機能ブロック図に示したように、ＯＬＴ１０は、光送受信部１１、多重部１２、分離部１３、ＭＰＣＰ（Ｍｕｌｔｉ−Ｐｏｉｎｔ  Ｃｏｎｔｒｏｌ  Ｐｒｏｔｏｃｏｌ）部１４、時刻同期部１５、ＯＬＴ内部時刻変換部１６、ＯＮＵ送信許可算出部１７、および識別部１８を含んで構成されている。
【００２３】
図３に示したシーケンスが実行される以前に、通信親局＃１は、端末＃１と端末＃２からの通信要求を受け付けていたものとし、端末＃１と端末＃２は、それぞれ通信子局＃１のアンテナまでの伝送遅延時間を把握しているものとする。また、ＯＬＴ１０内のＭＰＣＰ部１４は、受信するＲＥＰＯＲＴフレームを用いて、各ＯＮＵの接続状況と往復遅延時間を、このシーケンスが実施される以前に把握しているものとする。
【００２４】
まず、通信親局＃１が、通信要求に基づき上りスケジューリング処理を行い、端末＃１および端末＃２の上りスケジューリング情報を、下りに送信する。上りスケジューリング情報は、通信子局＃１のアンテナが受信する時刻を基準としている。図３に例示した通信シーケンスにおける端末＃１および端末＃２の上りスケジューリング情報には、時刻ｔ１に無線データをアンテナに到着させる指示が含まれている。
【００２５】
ＯＬＴ１０は、それらの上りスケジューリング情報を下りデータとして、多重部１２、光送受信部１１を介してＯＮＵ＃１へ送信する。また、ＯＬＴ１０内の識別部１８は、端末＃１スケジューリング情報と端末＃２スケジューリング情報を識別する。
【００２６】
ＯＮＵ送信許可算出部１７は、これらの上りスケジューリング情報を取得し、帯域割当周期におけるＯＮＵごとの送信許可を生成する。ここで、送信許可とは、ＯＮＵに接続されたそれぞれの通信子局がフレーム送信を行う際の、送信開始時刻および送信許可量に関する情報を含んで構成される送信許可信号に相当する。
【００２７】
図４は、本発明の実施の形態１におけるＯＮＵ送信許可算出部１７で実行される一連処理の一例を示したフローチャートである。この図４のフローチャートを用いて、ＯＮＵ送信許可算出部１７による具体的な処理を説明する。
【００２８】
まず、ＯＮＵ送信許可算出部１７は、上りスケジューリング情報から、通信子局が受信する端末ごとのデータ受信時刻と、データ量を算出する（ステップＳ００１）。次に、ＯＮＵ送信許可算出部１７は、端末ごとのデータ受信時刻を、受信時刻順に並び替える（ステップＳ００２）。例えば、ＯＮＵ送信許可算出部１７は、ＬＴＥ（Ｌｏｎｇ  Ｔｅｒｍ  Ｅｖｏｌｕｔｉｏｎ）規格においては、１ｍｓ単位の時刻順にデータ受信時刻を並び替える。
【００２９】
次に、ＯＮＵ送信許可算出部１７は、ＯＮＵ［ｉ］に対して、外部ネットワーク装置構成情報に基づいて、端末ごとのデータ量を、通信子局［ｉ］がＯＮＵ［ｉ］に送信するデータ量に変換する（ステップＳ００３）。
【００３０】
次に、ＯＮＵ送信許可算出部１７は、外部ネットワーク装置構成情報に従い、通信子局が同時に受信する端末の全データを格納して、ＯＮＵに送信するフレーム数（Ｎ［ｉ］個）を求める（ステップＳ００４）。
【００３１】
次に、ＯＮＵ送信許可算出部１７は、外部ネットワーク装置構成情報と、端末ごとのデータ量から、Ｎ［ｉ］個のフレーム長を求める（ステップＳ００５）。
【００３２】
次に、ＯＮＵ送信許可算出部１７は、ＯＮＵ［ｉ］の往復遅延時間（ＲＴＴ）と外部ネットワーク装置構成情報に従い、データ受信時刻を、通信子局のＮ［ｉ］個のフレーム送信開始時刻に変換する（ステップＳ００６）。
【００３３】
ＯＮＵ送信許可算出部１７は、ステップＳ００３〜ステップＳ００６の一連動作を、接続中である全てのＯＮＵについて、すなわち、接続中である全ての通信子局について繰り返す。
【００３４】
そして、ＯＮＵ送信許可算出部１７は、ΣＮ［ｉ］個の送信開始時刻とフレーム長に基づき、ＰＯＮ区間で生じるオーバーヘッドも加算して、全てのＯＮＵの送信許可を割り当てる（ステップＳ００７）。
【００３５】
最後に、ＯＮＵ送信許可算出部１７は、サウンドリファレンス信号、データ再送、通信子局、ＯＮＵの制御信号などの、上りスケジューリング情報とは独立に発生する上りデータのために、余剰帯域を全ＯＮＵに割り当てる（ステップＳ００８）。このようにして、ＯＮＵ送信許可算出部１７は、ＯＮＵごとの送信許可を生成する。
【００３６】
ＯＮＵ送信許可算出部１７は、ステップＳ００３〜ステップＳ００８の一連動作を、割当周期ごとに実行する。そして、ＯＮＵ送信許可算出部１７は、ＯＮＵごとに生成した送信許可を、ＭＰＣＰ部１４へ送信する。
【００３７】
ＭＰＣＰ部１４は、受信したＯＮＵごとの送信許可を、ＧＡＴＥフレームのグラントに格納して、多重部１２へ送信する。図５は、本発明の実施の形態１におけるＧＡＴＥフレームのフォーマットを示した図である。
【００３８】
なお、ＯＮＵ送信許可算出部１７によって生成される送信許可には、ＯＬＴ内部時刻であるＴ１が含まれる。ＯＮＵ送信許可算出部１７におけるこのＴ１の算出方法については、後述する。ＭＰＣＰ部１４で生成されたＧＡＴＥフレームは、多重部１２、光送受信部１１を介して、各ＯＮＵへ送信される。
【００３９】
一方、ＯＬＴ１０、ＯＮＵ＃１、通信子局＃１、アンテナを介して上りスケジューリング情報を受信した端末＃１および端末＃２は、アンテナに時刻ｔ１に到着するように、それぞれ無線データを送信する。これらの無線データを受信した通信子局＃１は、適切な上り処理を行い、ＯＮＵ＃１への送信データを生成し、Δｔ時間後に生成した送信データをフレームに格納して、ＯＮＵ＃１へ無線データを送信する。
【００４０】
ＯＮＵ＃１は、無線データをフレームとして受信すると、時刻Ｔ１まで蓄積しておく。そして、ＯＮＵ＃１は、時刻がＴ１になると、蓄積しておいた受信フレームを送信する。このとき、ＰＯＮ区間のオーバーヘッドも、同時に送信する。
【００４１】
図６は、本発明の実施の形態１による端末、通信子局、ＯＮＵ、ＯＬＴ１０の動作タイミングチャートの一例を示した図である。具体的には、この図６は、処理単位を１シンボルとして、送信データを生成し、フレームに複数個の送信データを格納して出力する例を示している。
【００４２】
図６において、端末と通信子局は、無線通信をしているものとする。また、通信子局は、無線の１シンボル時間で送信データを生成し、フレームに複数個の送信データを格納して、通信親局宛てに出力するものとする。さらに、ＯＮＵ＃２とＯＬＴ１０との間の伝送距離の方が、ＯＮＵ＃１とＯＬＴ１０との間の伝送距離より長いものとする。
【００４３】
また、図６のケースでは、ＯＬＴ１０は、あらかじめ外部ネットワーク構成情報として、例えば、通信子局＃１および通信子局＃２の処理時間、１端末の送信データ量の計算方法、ＯＮＵへの送信フレーム構成に関して、以下のような情報を得ているものとする。
・図３におけるΔｔに相当する通信子局＃１および通信子局＃２の処理時間＝１シンボル時間
・１端末の送信データ量の計算方法＝サブキャリア数×ＭＩＭＯアンテナ数×２（ＩＱデータ両方）×ＩＱ量子化ビット数×上りスケジューリング情報から得られるリソースブロック数
・ＯＮＵへの送信フレーム構成＝複数端末データを１フレームに格納
【００４４】
また、図７は、本発明の実施の形態１による端末、通信子局、ＯＮＵ、ＯＬＴ１０の動作タイミングチャートの別の例を示した図である。具体的には、この図７は、処理単位を１ＴＴＩ（Ｔｒａｎｓｍｉｓｓｉｏｎ  Ｔｉｍｅ  Ｉｎｔｅｒｖａｌ）として、送信データを生成し、１フレーム／端末として出力する例を示している。
【００４５】
図７のケースでは、ＯＬＴ１０は、あらかじめ外部ネットワーク構成情報として、例えば、以下のような情報を得ているものとする。
・Δｔに相当する通信子局＃１および＃２の処理時間＝１ＴＴＩ
・１端末の送信データ量の計算方法＝上りスケジューリング情報に基づき、非特許文献３の８章と７章に記載の方式で算出
・ＯＮＵへの送信フレーム構成＝１フレームに１端末データ格納
【００４６】
ＯＮＵ送信許可算出部１７は、このような外部ネットワーク構成情報と、ＯＬＴ内部時刻で表現された外部ネットワーク時刻と、識別部が抽出した上りスケジューリング情報と、を取得することで、図６に示したＯＮＵ＃１およびＯＮＵ＃２の受信フレームの個数とそれぞれの受信時刻（ＯＬＴ内部時刻表現）、フレーム長を正確に算出できる。
【００４７】
さらに、ＯＮＵ送信許可算出部１７は、各ＯＮＵの上り伝送遅延であるＲＴＴの１／２を加味することで、ＯＬＴ１０の光送受信部が受信可能な時刻を算出できる。この時刻が、図３におけるＴ１となる。
【００４８】
これにより、ＯＮＵ送信許可算出部１７は、遅延時間を最小化する送信許可を割り当てることができる。そして、ＯＮＵ送信許可算出部１７は、サウンドリファレンス信号、データ再送、通信子局およびＯＮＵの制御信号などの、上りスケジューリング情報とは独立に発生する上りデータのために、帯域更新周期から全ての送信許可時間を減じて残った時間を、各ＯＮＵに割り当てることができる。
【００４９】
以上のように、実施の形態１によれば、外部ネットワーク構成情報と、各ＯＮＵの接続状況および往復遅延時間と、上りスケジューリング情報と、外部ネットワーク時刻とに基づき、ＯＮＵに接続されたそれぞれの通信子局がフレーム送信を行う際の送信開始時刻および送信許可量に関する情報を含んで構成される送信許可を生成することができるＯＮＵ送信許可算出部を備えている。
【００５０】
この構成により、ＯＮＵのフレーム長と受信時刻を正確に求めることができる。このため、本実施の形態１に係る光ネットワークの光端局装置は、上り遅延時間を最小化できるという効果を実現できる。
【００５１】
図８は、本発明の実施の形態１によるＯＬＴ１０を実現するハードウェア構成例を示した図である。図８に示したＯＬＴ１０は、プロセッサ１、メモリ２、送信回路３、受信回路４、光送受信回路２１、多重回路２２、分離回路２３、ＭＰＣＰ回路２４、時刻同期回路２５、および通信親局連携スケジューリング回路２６を含んで構成されている。
【００５２】
この図８に示すように、処理回路が専用のハードウェアである場合には、処理回路としては、例えば、単一回路、複合回路、プログラム化したプロセッサ、並列プログラム化したプロセッサ、ＡＳＩＣ、ＦＰＧＡ、またはこれらを組み合わせたものが該当する。
【００５３】
図８に示した通信親局連携スケジューリング回路２６は、先の図２に示したＯＬＴ内部時刻変換部１６、ＯＮＵ送信許可算出部１７、識別部１８の処理機能を有している。そして、プロセッサ１により各種回路が制御されることで、ＯＬＴ１０の機能が実現される。
【００５４】
図９は、本発明の実施の形態１によるＯＬＴ１０を実現する別のハードウェア構成例を示した図である。図９に示したＯＬＴ１０は、先の図８に示したハードウェア構成と比較すると、ＭＰＣＰ回路２４および通信親局連携スケジューリング回路２６の代わりに、ＧＡＴＥ生成回路２７およびＲＥＰＯＲＴ受信回路２８を備えている。
【００５５】
図９に示すように、処理回路がＣＰＵの場合には、各部の機能は、ソフトウェア、ファームウェア、またはそれらの組み合わせにより実現される。ソフトウェアやファームウェアは、プログラムとして記述され、メモリ２に格納される。処理回路は、メモリ２に記録されたプログラムを読み出して実行することにより、前述の各部の機能を実現する。
【００５６】
なお、各機能について、一部を専用のハードウェアで実現し、一部をソフトウェアまたはファームウェアで実現するようにしてもよい。このように、処理回路は、ハードウェア、ソフトウェア、ファームウェア、またはこれらの組み合わせによって、前述の各機能を実現することができる。
【００５７】
実施の形態２．
図１０は、本発明の実施の形態２によるＯＬＴの一例を示した機能ブロック図である。先の実施の形態１は、通信親局からの下りデータに含まれる上りスケジューリング情報を、識別部１８にて抽出する形態であった。これに対して、本実施の形態２は、下りデータとは別系統の入力端子から、上りスケジューリング情報を受信する形態である点が異なる。
【００５８】
より具体的には、図１０に示す機能ブロック図は、先の図２の昨日ブロック図と比較すると、識別部１８の代わりに、受信部１９を備えて構成されている。このような構成を備える本実施の形態２に係るＯＬＴ１０によっても、ＯＮＵのフレーム長と受信時刻を正確に求めることができる。このため、本実施の形態２に係る光ネットワークの光端局装置は、先の実施の形態１と同様に、上り遅延時間を最小化できるという効果を実現できる。
【符号の説明】
【００５９】
１  プロセッサ、２  メモリ、３  送信回路、  ４  受信回路、１０  ＯＬＴ、１４  ＭＰＣＰ部、１５  時刻同期部、１６  ＯＬＴ内部時刻変換部（時刻変換部）、１７  ＯＮＵ送信許可算出部、１８  識別部、１９  受信部、２４  ＭＰＣＰ回路、２５  時刻同期回路、２６  通信親局連携スケジューリング回路、２７  ＧＡＴＥ生成回路、２８  ＲＥＰＯＲＴ受信回路。
【要約】
本発明は、ＰＯＮ方式の光ネットワークにおいて、１以上のＯＮＵと送受信を行う光ネットワークのＯＬＴに関し、帯域割当周期におけるＯＮＵごとの送信許可を生成することでＯＮＵごとの上りスケジューリングを行うＯＮＵ送信許可算出部を備え、ＯＮＵ送信許可算出部は、外部ネットワーク構成情報と、各ＯＮＵの接続状況および往復遅延時間と、上りスケジューリング情報と、外部ネットワーク時刻とに基づき、ＯＮＵに接続されたそれぞれの通信子局がフレーム送信を行う際の送信許可を生成する。【図１】
0006373517.tif 000002
【図２】
0006373517.tif 000003
【図３】
0006373517.tif 000004
【図４】
0006373517.tif 000005
【図５】
0006373517.tif 000006
【図６】
0006373517.tif 000007
【図７】
0006373517.tif 000008
【図８】
0006373517.tif 000009
【図９】
0006373517.tif 000010
【図１０】
0006373517.tif 000011